(57)【要約】【課題】従来のゴム動力より、全長が短く、駆動時間も長く、他用途に利用できる。ゴム動力を提供する。【解決手段】台座、駆動用回転軸、ドラムから成る主要部品により、従来のゴム動力より、全長が短くなり駆動時間も長くなった。駆動用回転軸にゴム紐を伸ばして巻き、そのゴム紐をドラムの内部構造による作用で、ドラムに引っ張りながら巻き取ることで、駆動用回転軸は勢いよく回転する。【選択図】図９
2010156435.tif 000002
【特許請求の範囲】
【請求項１】
台座、駆動用回転軸、ドラムから成る構造でないこと、また、類似しないこと。
【請求項２】
ドラムの構造に類似しないこと。
【請求項３】
紐、ゴム紐等を軸、筒状の物等に、巻き取る構造でないこと。
【発明の詳細な説明】
【技術分野】
【０００１】  本発明は、ゴムを引っ張りながら駆動用回転軸へ巻取り、戻る力を動力に変える方法に関  するものである。
【背景技術】
【０００２】従来、ゴム紐を引っ張りながら駆動用回転軸へ巻取り、戻る力を動力に変える方法は、なかった。【０００３】
【特許文献１】特許公開番号  第２００５−１８７９１号
【非特許文献１】インターネット検索、ライトフライヤーＷＦ
【非特許文献２】インターネット検索、Ｐｅｎｎｉヘリコプターキット（０６−１０−０８）
【発明の開示】
【発明が解決しようとする課題】
【０００３】ゴム動力を利用した玩具では、ゴム動力飛行機が有名であり愛好者も多く大会等も開催され、その制作技術は高度なものである。ただ、これを他の玩具等に動力として利用するには、全体が細長い構造のものでないと不向きである。本発明は、この課題を解消し他の構造を有するものにも利用できるゴム動力として、なされた。巻き取り式ゴム動力である。
【課題を解決するための手段】
【０００４】本発明は、台座、駆動用回転軸、ドラム、の３つの主要部品から構成される図６、参照。本発明の動力を生むために必要なゴム紐をドラムに巻くことから説明する。図６、ドラムに５ｍほどのゴム紐を伸ばす等の変化を加えないで平常の状態で巻く。巻き方は、図４、ドラムに伸び縮みしない太さ１．５ｍｍの紐、５．３ｍを、フックｉに紐の端を取り付け巻く。これをドラムの両端から出ているゴム管を図１、Ｂに通し、図６、フックｏに引っかけて取り付ける。図５、紐を全部引っ張りゴム管をねじる、ねじれたゴム管は、元に戻ろうとするので戻らないように指１、で示すように指で押さえながら、紐をフックｉから外しゴム紐の端をフックｉに取り付ける。図６、ゆっくり戻しながら、均等にドラムに巻き付ける。ドラムに巻き付けられたゴム紐の先を、駆動用回転軸のフックＬに取付ける。次に、駆動用回転軸にゴム紐を巻く、巻き始めは、図７、指１、が示すように、指でつまみ適度に引っ張り、駆動用回転軸のプロペラ部を、指等で回し、巻いていく、ゴム紐は、ドラムから引っ張られ伸ばされて巻かれているため、駆動用回転軸を引っ張り回転させる作用が働く、この作用は伸びて巻かれた分だけ蓄えられる。次に、主要部品の一つであるドラムについて説明する。駆動用回転軸にゴム紐を全部巻き終わってプロペラ部から手をはなしたとき勢いよく回転させ、蓄た駆動力を全部発生させるためには、主要部品の一つである、ドラムが必要である。図２参照、ドラム本体は中空になっており太さ５ｍｍのゴム管を通していて、中心をセンターピンで固定している。前記のように、ゴム紐を紐やプロペラを介して、ドラムや、駆動用回転軸に巻き付けるときは、ゴム管に、ねじれが生じ、戻ろうとする作用が生じる図９参照、この作用を利用している。ゴム紐を駆動用回転軸に、本発明でないものから、巻き付けただけでは、巻かれたゴム紐の一部分だけが戻り、数回転するだけで動力にならない。このことを解決したのが図２、ドラムの構造である。前記の要領で台座に設置されゴム紐を巻かれたドラムは、駆動用回転軸に巻かれていくゴム紐に引っ張られるので、巻くたびにドラムもいっしょに回転する。図９、参照ドラムの中心にあるゴム管もゴム紐を巻くたびに、ドラムが引っ張られて回転する方向にねじられるため、反対方向へ戻ろうとする作用が蓄えられていく。  ドラムに巻かれたゴム紐を駆動用回転軸に全部巻き終たときプロペラから手を離し、駆動させる。駆動用回転軸に巻かれたゴム紐はドラムから引き伸ばされたまま巻かれており、ドラムへ戻ろうとする力が働く、ドラムの中心にあるゴム管の戻ろうとする作用は、駆動用回転軸を回転させて平常に戻ったゴム紐を巻き取る力になる。また、ドラムはゴム紐を引っ張りながら巻き取るので、巻き取る力と伸ばされていたゴム紐の戻る力が、強い駆動力を発生させる。駆動用回転軸を回転させて元の状態に戻ったゴム紐はそのままドラムに全部巻き取られていく。
【発明の効果】
【０００５】  ゴム紐を、ドラムに巻き、ドラムの中心にあるゴム管をねじりながらゴム紐を駆動用回転軸に巻き付けていく。駆動用回転軸を駆動回転させた後、ゴム紐は元の状態に戻りドラムの中心にあるゴム管の元に戻ろうとする作用により、ドラムを回転させるので、ゴム紐は、ドラムに巻き取られていく。この構造により、細長い棒にゴム紐を張る従来のゴム動力方式より全長を短くすることが出来る。本発明は、従来のゴム動力に比べ、全長を短くする事ができて、駆動時間、駆動力等の性能が向上した。また、格部品の改良等でも更に性能向上が計れる。以下、本発明の実施の形態を図１から図１２に基づいて説明する。
（イ）図１、台座
本発明の骨格になる部品である。台座のＡは駆動用回転軸の軸受け用穴、Ｂはドラムのゴム管を通すための穴。
（ロ）図２、ドラム
主用部品の一つである動力源のゴムひもを巻取る装置。直径２０ｍｍ長さ１４０ｍｍ発砲スチロール製等の中心部に直径１０ｍｍ程度の穴を空け、直径５ｍｍ、長さ１９０ｍｍで中空のゴム管をドラム中心部に通す。ドラムの中心部を縦に太さ２ｍｍのセンターピンでゴム管の中心部を貫通させて固定する。
（ハ）図３、駆動用回転軸
プロペラと回転軸を一体にした部品。回転軸、太さ５ｍｍ長さ１７０ｍｍ、プロペラ、長さ９０ｍｍ回転軸の後部にストッパを取り付けて穴から抜けないようにする。フックＬは、ドラムからのゴム紐の先を引っかけるためのものである。
（ニ）図４、ドラムのフックｉに、紐（伸び縮しない太さ１．５ｍｍの紐）の片方の端を取り付け、巻く。これを台座、Ｂに両端から出ているゴム管を通しフックｏに引っかけて固定する。
（ホ）図５、
ドラムに巻かれた紐を全部引き出しゴム管をねじる、指１、で示すようにして、ドラムが戻らないように押さえて、フックｉから紐を外しゴム紐をフックｉに取り付ける。ねじれたゴム管の戻る作用を利用しゴム紐を図６、のようにドラムの両端に余裕を残し均等に巻く。
（ヘ）図７
ゴム紐を、図７、指１、で示すように、指でつまみゴム紐が適度に伸びて巻けるように抵抗を加えながらプロペラを介し、駆動用回転軸に巻く。このようにゴム紐を伸ばして巻き取るので、平常では長さ５ｍ程度のゴム紐でも、倍以上の長さになる。駆動用回転軸にゴム紐を巻く回数が多くなればなるほど回転数が多くなり駆動時間が長くなる。また、ゴム管、ゴム紐の太さや長さ、本数等を調節し馬力の向上、駆動時間の向上等、部品の改良等で性能を増すことが出来る。以上が巻き取りしきゴム動力の全容である。
【実施例１】
【０００６】
【図面の簡単な説明】
【０００７】
【図１】本発明の骨格をなす部品、台座の側面図である。
【図２】本発明の主用部品の一つであるドラムの断面図である。
【図３】本発明の主用部品の一つである駆動用回転軸側面図である。
【図４】ドラムに紐を巻き付けた状態を表す図である。
【図５】ドラムを台座に取付け、紐を引出し、ゴム紐を取付けようとしている状態を表す図である。
【図６】ゴム紐をドラムに均等に巻き付けた様子を表す図である。
【図７】指１、で加減をしながら駆動用回転軸にプロペラを介して巻き付けていく様子を表す図である。
【図８】ゴム紐を駆動用回転軸に全部巻いた状態を表す図であり。この状態で駆動させる、本発明の使用状態を示す図である。
【図９】ゴム紐を駆動用回転軸に全部巻いた状態の断面図である。
【図１０】ゴム紐を駆動用回転軸に巻いている途中の上面図である。
【図１１】正面図である。
【図１２】後面図である。
【符号の説明】
【０００８】ドラム（本発明の主要部品）
ゴム紐（厚さ１ｍｍ幅３ｍｍ長さ５ｍのゴム紐）
ゴム管（直径５ｍｍ、長さ１９０ｃｍｍで中空のゴム管）
紐（伸び縮みしない太さ１．５ｍｍの紐）
駆動用回転軸（本発明の主要部品）
プロペラ（推進力を発生させる部品）
ストッパー（４駆動用回転軸が抜け落ちないようにする部品）
台座（本発明の骨格を成す部品）
フックｉ（ドラムに、ゴム紐及び紐を取付ける部品）
フックＬ（駆動用回転軸へ、ドラムからのゴム紐を取付ける部品）
フックｏ（台座にドラムの、ゴム管を取付ける部品）
センターピン（ドラムの中空を通るゴム管の中心を固定する部品）
Ａ（駆動用回転軸受穴）
Ｂ（ゴム管通し穴）
指１、（人差し指と親指を表した図）
【図１】
2010156435.tif 000003
【図２】
2010156435.tif 000004
【図３】
2010156435.tif 000005
【図４】
2010156435.tif 000006
【図５】
2010156435.tif 000007
【図６】
2010156435.tif 000008
【図７】
2010156435.tif 000009
【図８】
2010156435.tif 000010
【図９】
2010156435.tif 000011
【図１０】
2010156435.tif 000012
【図１１】
2010156435.tif 000013
【図１２】
2010156435.tif 000014